(57)【要約】【課題】発電効率が高い発電デバイスを提供する。【解決手段】発電デバイス２０は、相互に対向して配置されて振動により湾曲する第１の梁２１ａ及び第２の梁２１ｂと、第１の梁２１ａ及び第２の梁２１ｂの周囲に巻回されたコイルとを有する。また、第１の梁２１ａ及び第２の梁２１ｂは、磁歪材料等により形成された梁本体２６と、梁本体２６とは異なる材料により形成されて梁本体２６の表面の一部を覆う応力緩和層２７とを有する。振動により梁本体２６が変形すると、梁本体２６に主に圧縮応力及び引張応力のいずれか一方が発生し、応力緩和層２７に主に圧縮応力及び引張応力のいずれか他方が発生して、コイルに大きな電流が流れる。【選択図】図６
2013186876.tif 000002
【特許請求の範囲】
【請求項１】
相互に対向して配置されて振動により湾曲する第１の梁及び第２の梁と、
前記第１の梁及び前記第２の梁の周囲に巻回されたコイルとを有し、
前記第１の梁及び前記第２の梁は、梁本体と、前記梁本体とは異なる材料により形成されて前記梁本体の表面の一部を覆う応力緩和層とを有することを特徴とする発電デバイス。
【請求項２】
前記梁本体が、磁歪材料により形成されていることを特徴とする請求項１に記載の発電デバイス。
【請求項３】
前記梁本体が、メタ磁性形状記憶合金又は強磁性形状記憶合金により形成されていることを特徴とする請求項１に記載の発電デバイス。
【請求項４】
前記応力緩和層は、前記第１の梁及び前記第２の梁の一方の端部側では対向面側に配置され、他方の端部側では対向面と反対側に配置されていることを特徴とする請求項１乃至３のいずれか１項に記載の発電デバイス。
【請求項５】
前記応力緩和層が、絶縁材料により形成されていることを特徴とする請求項１乃至４のいずれか１項に記載の発電デバイス。
【請求項６】
前記応力緩和層の材質が、酸化シリコン、アルミナ、ポリイミド、ポリカーボネート及び繊維強化プラスチックのいずれか一種であることを特徴とする請求項５に記載の発電デバイス。
【請求項７】
前記応力緩和層が、非磁性金属により形成されていることを特徴とする請求項１乃至４のいずれか１項に記載の発電デバイス。
【請求項８】
前記応力緩和層が、前記梁本体を形成する磁性材料とは逆極性の磁性材料により形成されていることを特徴とする請求項２に記載の発電デバイス。
【請求項９】
前記応力緩和層は、前記第１の梁及び前記第２の梁の端部側の厚さが、中央側の厚さよりも厚いことを特徴とする請求項４に記載の発電デバイス。
【請求項１０】
前記第１の梁の端部と前記第２の梁の端部との間に磁石が配置されていることを特徴とする請求項１乃至４のいずれか１項に記載の発電デバイス。
【請求項１１】
前記第１の梁を通る磁束の方向と前記第２の梁を通る磁束の方向とが異なることを特徴とする請求項１乃至４のいずれか１項に記載の発電デバイス。
【請求項１２】
前記コイルは、前記第１の梁及び前記第２の梁を同時にくるむように巻回されていることを特徴とする請求項１１に記載の発電デバイス。
【請求項１３】
前記第１の梁と前記第２の梁と前記磁石とにより、周回磁路が形成されていることを特徴とする請求項１０に記載の発電デバイス。
【請求項１４】
相互に対向して配置されて振動により湾曲する第１の梁及び第２の梁と、
前記第１の梁及び前記第２の梁の周囲に巻回されたコイルとを有し、
前記第１の梁及び前記第２の梁の少なくとも一方が、磁歪材料のより形成された層と絶縁材料により形成された層とを交互に積層した構造を有することを特徴とする発電デバイス。
【請求項１５】
前記磁歪材料により形成された層の厚さが、前記絶縁材料により形成された層の厚さよりも厚いことを特徴とする請求項１４に記載の発電デバイス。
【請求項１６】
前記第１の梁及び前記第２の梁の表面の一部を覆う応力緩和層を有することを特徴とする請求項１４又は１５に記載の発電デバイス。
【発明の詳細な説明】
【技術分野】
【０００１】
本発明は、発電デバイスに関する。
【背景技術】
【０００２】
近年、ＺｉｇＢｅｅをはじめとする低消費電力短距離無線通信技術の開発が進み、そのような短距離無線通信技術を使用したワイヤレスセンサネットワークが構築されるようになった。しかし、ワイヤレスセンサネットワークの電源として電池を使用すると、電池の寿命や廃棄時の環境負荷などの問題が発生する。そのため、熱、振動、光又は電波などの身の回りに存在する様々なエネルギーを収穫して電力に変換するエネルギーハーベスティング技術が注目されている。【０００３】
エネルギーハーベスティング技術の一つとして、磁歪材料により形成された一対の梁と、梁の周囲に巻回されたコイルと、磁束を発生する磁石とを有する発電デバイスが提案されている。この種の発電デバイスでは、振動により梁が撓み、梁を通る磁束の密度が変化してコイルに電流が流れる。この電流をコイルから取り出して、電子機器を駆動するための電力とすることができる。
【先行技術文献】
【特許文献】
【０００４】
【特許文献１】ＷＯ２０１１/１５８４７３
【発明の概要】
【発明が解決しようとする課題】
【０００５】
発電効率が高い発電デバイスを提供することを目的とする。
【課題を解決するための手段】
【０００６】
開示の技術の一観点によれば、相互に対向して配置されて振動により湾曲する第１の梁及び第２の梁と、前記第１の梁及び前記第２の梁の周囲に巻回されたコイルとを有し、前記第１の梁及び前記第２の梁は、梁本体と、前記梁本体とは異なる材料により形成されて前記梁本体の表面の一部を覆う応力緩和層とを有する発電デバイスが提供される。
【発明の効果】
【０００７】
上記一観点に係る発電デバイスによれば、発電効率が高く、大きな電流を取り出すことができる。
【図面の簡単な説明】
【０００８】
【図１】図１（ａ）は発電デバイスの一例を示す正面図、図１（ｂ）は同じくその側面図、図１（ｃ）は図１（ｂ）中にＩ−Ｉ線で示す位置における断面図である。
【図２】図２は、支持体に取り付けられた発電デバイスを示す模式図である。
【図３】図３は、発電デバイスの梁の湾曲状態を示す図である。
【図４】図４は、梁が湾曲したときの応力分布をシミュレーション計算して求めた結果を表した図である。
【図５】図５（ａ）は第１の実施形態に係る発電デバイスを示す正面図、図５（ｂ）は同じくその側面図、図５（ｃ）は図５（ｂ）中にII−II線で示す位置における断面図である。
【図６】図６は、第１の実施形態に係る発電デバイスの梁の部分を示す断面図である。
【図７】図７は、第１の実施形態に係る発電デバイスの梁が“Ｓ”字状に湾曲したときの応力分布をシミュレーション計算して求めた結果を表した図である。
【図８】図８は、第１の実施形態の変形例を示す図（その１）である。
【図９】図９は、第１の実施形態の変形例を示す図（その２）である。
【図１０】図１０は、第１の実施形態の変形例を示す図（その３）である。
【図１１】図１１は、第２の実施形態に係る発電デバイスを示す模式図である。
【図１２】図１２（ａ）〜（ｄ）は、いずれも第３の実施形態に係る発電デバイスを示す模式図である。
【図１３】図１３（ａ），（ｂ）は、コイルの巻回状態を示す図である。
【図１４】図１４は、第４の実施形態に係る発電デバイスを示す模式断面図である。
【図１５】図１５は、第５の実施形態に係る発電デバイスを示す模式断面図である。
【図１６】図１６は、第６の実施形態に係る発電デバイスを示す模式断面図である。
【図１７】図１７は、第６の実施形態の変形例を示す図である。
【図１８】図１８は、第７の実施形態に係る発電デバイスを示す模式断面図である。
【図１９】図１９は、第７の実施形態の変形例を示す図である。
【図２０】図２０（ａ），（ｂ）はその他の実施形態を示す模式断面図である。
【発明を実施するための形態】
【０００９】
以下、実施形態について説明する前に、実施形態の理解を容易にするための予備的事項について説明する。
【００１０】
図１（ａ）は発電デバイスの一例を示す正面図、図１（ｂ）は同じくその側面図、図１（ｃ）は図１（ｂ）中にＩ−Ｉ線で示す位置における断面図である。
【００１１】
図１（ａ）〜（ｃ）に示す発電デバイス１０は、梁１１ａ，１１ｂと、コイル１２ａ，１２ｂと、連結ヨーク１３ａ，１３ｂと、永久磁石１４ａ，１４ｂと、バックヨーク１５とを有する。
【００１２】
梁１１ａ，１１ｂはいずれも磁歪材料により細長い薄板状に形成されている。これらの梁１１ａ，１１ｂは相互に対向して配置されており、梁１１ａ，１１ｂの周囲にはそれぞれコイル１２ａ，１２ｂが巻回されている。また、梁１１ａ，１１ｂの上部は連結ヨーク１３ａにより連結され、梁１１ａ，１１ｂの下部は連結ヨーク１３ｂにより連結されている。
【００１３】
梁１１ａ，１１ｂの連結ヨーク１３ａ側の端部には磁石１４ａのＮ極が接続され、連結ヨーク１３ｂ側の端部には磁石１４ｂのＳ極が接続されている。バックヨーク１５は鉄を主成分とする磁性材料により形成されており、磁石１４ａのＳ極と磁石１４ｂのＮ極との間を磁気的に接続している。これにより、磁石１４ａ、梁１１ａ，１１ｂ、磁石１４ｂ、バックヨーク１５を順に通る磁路が形成されている。
【００１４】
このような発電デバイス１０において、連結ヨーク１３ａ，１３ｂのいずれか一方が支持体に固定される。ここでは、図２に示すように、連結ヨーク１３ａが支持体１９に固定され、連結ヨーク１３ｂ側がフリーであるとする。一般的に、支持体に固定される側を固定端、その反対側を可動端と呼んでいる。
【００１５】
発電デバイス１０に振動が加えられると、梁１１ａ，１１ｂが振動に応じて湾曲し、梁１１ａ，１１ｂを通る磁束の密度が変化する。これにより、コイル１２ａ，１２ｂには磁束密度の変化に応じた電流が流れる。この電流をコイル１２ａ，１２ｂから取り出して、電子機器を駆動するための電力とすることができる。
【００１６】
しかしながら、上述した発電デバイスでは発電効率が十分とはいえない。以下に、その理由について説明する。
【００１７】
図１（ａ）〜（ｃ）に示す発電デバイス１０では、２本の梁１１ａ，１１ｂが相互に平行に配置されており、梁１１ａ，１１ｂの上部及び下部は連結ヨーク１３ａ，１３ｂに接続されている。このため、支持体が振動すると、図３に模式的に示すように梁１１ａ，１１ｂは“Ｓ”字状に湾曲する。
【００１８】
図４は、梁１１ａ，１１ｂが図３のように湾曲したときの応力分布をシミュレーション計算して求めた結果を表した図である。
【００１９】
梁１１ａ，１１ｂが“Ｓ”字状に湾曲した場合、連結ヨーク１３ａ側では梁１１ａ，１１ｂの一方の面側（図４では上側）に大きな引張応力が発生し、他方の面側（図４では下側）に大きな圧縮応力が発生する。また、連結ヨーク１３ｂ側では梁１１ａ，１１ｂの一方の面側（図４では上側）に大きな圧縮応力が発生し、他方の面側（図４では下側）に大きな引張応力が発生する。
【００２０】
このように薄板状の梁１１ａ，１１ｂの一方の面側と他方の面側とで引張応力と圧縮応力とが同時に発生すると、梁１１ａ，１１ｂの一方の面側と他方の面側とで磁束密度の変化が打ち消される。その結果、梁１１ａ，１１ｂのうち連結ヨーク１３ａ，１３ｂに近い部分では十分な起電力が発生せず、起電力が十分に発生するのは梁１１ａ，１１ｂの中央の部分だけとなる。従って、図１（ａ）〜（ｃ）に示す発電デバイス１０では、発電効率が十分とはいえない。
【００２１】
以下の実施形態では、発電効率が高い発電デバイスについて説明する。
【００２２】
（第１の実施形態）
図５（ａ）は第１の実施形態に係る発電デバイスを示す正面図、図５（ｂ）は同じくその側面図、図５（ｃ）は図５（ｂ）中にII−II線で示す位置における断面図である。また、図６は、第１の実施形態に係る発電デバイスの梁の部分を示す断面図である。
【００２３】
本実施形態に係る発電デバイス２０は、梁２１ａ，２１ｂと、コイル２２ａ，２２ｂと、連結ヨーク２３ａ，２３ｂと、永久磁石２４ａ，２４ｂと、バックヨーク２５とを有する。
【００２４】
梁２１ａ，２１ｂは、図６に示すように、磁歪材料により形成された細長い薄板状の梁本体２６と、非磁性材料により形成されて梁本体２６の表面を部分的に覆う応力緩和層２７とを有する。本実施形態では、梁２１ａ，２１ｂの連結ヨーク２３ａ側の部分では、梁本体２６の各対向面側に、応力緩和層２７が形成されている。また、梁２１ａ，２１ｂの連結ヨーク２３ｂ側の部分では、梁本体２６の対向面と反対の面側に、応力緩和層２７が形成されている。梁本体２６及び応力緩和層２７の詳細は後述する。
【００２５】
梁２１ａ，２１ｂは相互に対向して配置されている。本実施形態では、梁２１ａ，２１ｂ間の間隔は１ｍｍであるとする。梁２１ａ，２１ｂの周囲にはそれぞれコイル２２ａ，２２ｂが巻回されている。また、梁２１ａ，２１ｂの上部は連結ヨーク２３ａにより連結され、梁２１ａ，２１ｂの下部は連結ヨーク２３ｂにより連結されている。
【００２６】
梁２１ａ，２１ｂの連結ヨーク２３ａ側の端部には磁石２４ａのＮ極が接続され、連結ヨーク２３ｂ側の端部には磁石２４ｂのＳ極が接続されている。
【００２７】
バックヨーク２５は磁性材料により形成されており、磁石２４ａのＳ極と磁石２４ｂのＮ極との間を接続している。これにより、磁石２４ａ、梁２１ａ，２１ｂ、磁石２４ｂ、バックヨーク２５を順に通る磁路が形成されている。
【００２８】
前述したように、梁本体２６は磁歪材料により形成されている。本実施形態では、梁本体２６が、鉄・ガリウム合金により、８．２ｍｍ（長さ）×１ｍｍ（幅）×０．２ｍｍ（厚さ）の薄板状に形成されているものとする。
【００２９】
梁本体２６を他の磁歪材料、例えば鉄・コバルト合金、Ｆｅ−Ｃｏ基アモルファス材料、Ｆｅ系アモルファス材料又はＮｉ系アモルファス材料等により形成してもよい。Ｆｅ−Ｃｏ基アモルファス材料には、例えばＣｏ−Ｆｅ−Ｎｉ−Ｍｏ−Ｂ−Ｓｉ及びＣｏ−Ｆｅ−Ｎｉ−Ｂ−Ｓｉ等がある。また、Ｆｅ系アモルファス材料には、例えばＦｅ−Ｂ−Ｓｉ、Ｆｅ−Ｂ−Ｓｉ−Ｃｒ、及びＦｅ−Ｎｉ−Ｍｏ−Ｂ等がある。更に、Ｎｉ系アモルファス材料には、例えばＮｉ−Ｃｒ−Ｆｅ−Ｓｉ−Ｂ、Ｎｉ−Ｓｉ−Ｂ及びＮｉ−Ｃｒ−Ｓｉ−Ｂ等がある。
【００３０】
応力緩和層２７は、前述したように非磁性材料により形成されている。本実施形態では、応力緩和層２７が、酸化シリコン（ＳｉＯ2）により０．２ｍｍの厚さに形成されているものとする。
【００３１】
応力緩和層２７を、アルミニウム又は銅等の非磁性金属により形成してもよい。但し、応力緩和層２７を非磁性金属により形成した場合は、梁２１ａ，２１ｂが湾曲した際に応力緩和層２７に渦電流が発生し、発電効率が低下することが考えられる。このため、応力緩和層２７は絶縁材料により形成することが好ましい。
【００３２】
応力緩和層２７をポリイミド、ポリカーボネート又は繊維強化プラスチック等の靭性が高い絶縁材料により形成すると、梁２１ａ，２１ｂが繰り返し湾曲しても破損しにくい。ポリイミド、ポリカーボネート及び繊維強化プラスチック等により応力緩和層２７を形成する場合は、例えばこれらの材料をシート状に形成し、熱圧着又は接着剤で梁本体２６に接合する。
【００３３】
応力緩和層２７を、ＳｉＯ2やアルミナ等の無機材料により形成してもよい。ＳｉＯ2やアルミナ等の無機材料は、ポリイミドやポリカーボネート等の有機材料に比べてヤング率が高いため、層厚を薄くしても同等の効果を得ることができる。
【００３４】
梁２１ａ，２１ｂは、その長さやヤング率、及び可動端側の連結ヨーク２３ｂの重さ等に応じて固有振動数が変わる。発電デバイス２０に加えられる振動に応じて、梁２１ａ，２１ｂの長さやヤング率、及び可動端側の連結ヨーク２３ｂの重さを調整することが好ましい。応力緩和層２７は、ヤング率が大きな材料ほど厚さが薄くてよい傾向がある。
【００３５】
本実施形態に係る発電デバイス２０は、例えば図６に示すように、連結ヨーク２３ａ側が支持体２９に固定される。発電デバイス２０に振動が加えられると、梁２１ａ，２１ｂが振動に応じて湾曲し、梁２１ａ，２１ｂを通る磁束の密度が変化する。これにより、コイル２２ａ，２２ｂには磁束密度の変化に応じた電流が流れる。この電流をコイル２２ａ，２２ｂから取り出して、電子機器を駆動するための電力とすることができる。
【００３６】
図７は、梁２１ａ，２１ｂが“Ｓ”字状に湾曲したときの応力分布をシミュレーション計算して求めた結果を表した図である。
【００３７】
図７に示すように梁２１ａ，２１ｂが“Ｓ”字状に湾曲した場合、連結ヨーク２３ａ側では梁２１ａ，２１ｂの一方の面側（図７では上側）に大きな引張応力が発生し、他方の面側（図７では下側）に大きな圧縮応力が発生する。また、連結ヨーク２３ｂ側では梁２１ａ，２１ｂの一方の面側（図７では上側）に大きな圧縮応力が発生し、他方の面側（図７では下側）に大きな引張応力が発生する。
【００３８】
しかし、図７からわかるように、梁２１ａ，２１ｂの連結ヨーク２３ａ側の部分において、梁本体２６の部分では主に引張応力が発生しており、応力緩和層２７の部分では主に圧縮応力が発生している。また、梁２１ａ，２１ｂの連結ヨーク２３ｂ側の部分において、梁本体２６の部分では主に引張応力が発生し、応力緩和層２７の部分では主に圧縮応力が発生している。
【００３９】
すなわち、本実施形態に係る発電デバイス２０では、梁２１ａ，２１ｂが図７のように湾曲した場合、磁歪材料により形成された梁本体２６の厚さ方向及び長さ方向のほぼ全体にわたって引張応力が発生する。また、梁２１ａ，２１ｂが図７に示す方向と逆方向に湾曲した場合は、梁本体２６の厚さ方向及び長さ方向のほぼ全体にわたって圧縮応力が発生する。
【００４０】
このように、本実施形態に係る発電デバイス２０では、磁歪材料により形成された梁本体２６の厚さ方向及び長さ方向のほぼ全体にわたって引張応力又は圧縮応力が発生するので、発電効率が高い。このため、本実施形態に係る発電デバイス２０は、小さな振動で大きな電力を取り出すことができる。
【００４１】
（変形例）
第１の実施形態では、図８（ｂ）のように梁本体２６の中央から連結ヨーク２３ａまでの領域では応力緩和層２７が梁本体２６の内側に配置されており、梁本体２６の中央から連結ヨーク２３ｂまでの領域では応力緩和層２７が梁本体２６の外側に配置されている。
【００４２】
しかし、応力緩和層２７は、図８（ａ）に示すように、梁２１ａ，２１ｂの中央部に形成されていなくてもよい。また、図８（ｃ）に示すように、梁２１ａ，２１ｂの一方の面側に形成された応力緩和層２７と他方の面側に形成された応力緩和層２７とが、梁２１ａ，２１ｂの中央部で梁本体２６を挟んで対向するようにしてもよい。応力緩和層２７の形成範囲を図８（ａ）〜（ｃ）のように変化させることにより梁２１ａ，２１ｂのばね定数が変化し、発電デバイス２０の固有振動数が変化する。
【００４３】
また、図９に示すように、応力緩和層２７を、異なる材料からなる複数の層２７ａ，２７ｂにより形成してもよい。応力緩和層２７を形成する各層２７ａ，２７ｂの材質及び厚さ等により、梁２１ａ，２１ｂに発生する圧縮応力及び引張応力の分布が変化する。
【００４４】
更に、図７からわかるように、応力緩和層２７に発生する圧縮応力は、連結ヨーク２３ａ，２３ｂ側で大きく、梁２１ａ，２１ｂの中央側で小さい。従って、図１０のように応力緩和層２７の厚さを、連結ヨーク２３ａ，２３ｂ側で厚く、中央側で薄くなるようにしてもよい。梁本体２６に応力緩和層２７を被着させると梁本体２６のばね定数が変化するが、図１０のように応力緩和層２７の厚さを梁本体２６の長さ方向で変化させることにより、ばね定数の変化を抑制することができる。
【００４５】
更に、応力緩和層２７は梁２１ａ，２１ｂの内側又は外側のいずれか一方にしか形成されていなくてもよい。この場合は、図５，図６に示す発電デバイス２０よりも発電効率が低下するものの、図１に示す発電デバイス１０よりは発電効率が高くなる。
【００４６】
（第２の実施形態）
図１１は、第２の実施形態に係る発電デバイスを示す模式図である。
【００４７】
本実施形態が第１の実施形態と異なる点は、応力緩和層が梁を形成する磁歪材料とは逆の極性を有する磁歪材料により形成されている点にあり、その他の構造は基本的に第１の実施形態と同様である。ここでは、第１の実施形態と重複する部分の図示及び説明を省略する。
【００４８】
本実施形態に係る発電デバイス２０ａは、連結部材２３ａ，２３ｂと、梁２１ａ，２１ｂとを有する。梁２１ａ，２１ｂは梁本体２６と、梁本体２６を部分的に覆う応力緩和層２８とを有する。梁２１ａ，２１ｂには、それぞれコイル２２ａ，２２ｂが巻回されている。
【００４９】
梁本体２６は、第１の実施形態と同様に、例えばＦｅ−Ｇａ合金、Ｆｅ−Ｃｏ合金、Ｆｅ−Ｃｏアモルファス材料、Ｆｅ系アモルファス材料、又はＮｉ系アモルファス材料により形成されている。
【００５０】
一方、応力緩和層２８は、梁本体２６を形成する磁歪材料と逆極性の磁歪特性を有する金属により形成されている。上述した磁歪材料とは逆極性の磁歪特性を有する金属には、例えばＳｍ−Ｆｅ、Ｍｇ−Ｃｕ、Ｃｏ−Ｆｅ−Ｓｍ−Ｄｙ、Ｃｏ−Ｓｉ−Ｂ等がある。
【００５１】
本実施形態に係る発電デバイス２０ａは、上述したように応力緩和層２８が梁本体２６を形成する磁歪材料と逆極性の磁歪特性を有する金属により形成されている。例えば、梁２１ａ，２１ｂが図７のように湾曲すると、梁本体２６に引張応力が発生し、応力緩和層２８に圧縮応力が発生する。この場合、梁本体２６と応力緩和層２８との磁歪特性が相互に逆であるので、梁本体２６の磁束密度の変化方向と応力緩和層２８の磁束密度の変化方向とが同じになる。このため、梁２１ａ，２１ｂに巻回されたコイル２２ａ，２２ｂには大きな電流が流れ、大きな電力を取り出すことができる。
【００５２】
（第３の実施形態）
図１２（ａ）〜（ｄ）は、いずれも第３の実施形態に係る発電デバイスを示す模式図である。なお、図１２（ａ）〜（ｄ）において、図６と同一物には同一符号を付して、その詳細な説明は省略する。
【００５３】
図１２（ａ）に示す発電デバイス３０ａは、梁２１ｂの連結ヨーク２３ａ側の端部に磁石３１ａのＮ極が接続されており、梁２１ｂの連結ヨーク２３ｂ側の端部に磁石３１ｂのＳ極が接続されている。また、梁２１ａの連結ヨーク２３ａ側の端部に磁石３１ｃのＮ極が接続されており、梁２１ａの連結ヨーク２３ｂ側の端部に磁石３１ｄのＳ極が接続されている。
【００５４】
これらの磁石３１ａ〜３１ｄにより、梁２１ａ，２１ｂにはそれぞれ連結ヨーク２３ａから連結ヨーク２３ｂに向かう方向に磁路が形成される。梁２１ａ，２１ｂは、第１の実施形態と同様に磁歪材料により形成された梁本体２６と、梁本体２６を部分的に被覆する応力緩和層２７とを有する。また、梁２１ａ，２１ｂの周囲には、それぞれコイル（図示せず）が巻回されている。
【００５５】
図１２（ｂ）に示す発電デバイス３０ｂは、梁２１ｂの連結ヨーク２３ａ側の端部に磁石３２ａのＮ極が接続されており、梁２１ｂの連結ヨーク２３ｂ側の端部に磁石３１ｂのＳ極が接続されている。また、梁２１ａの連結ヨーク２３ａ側の端部に磁石３１ｃのＳ極が接続されており、梁２１ａの連結ヨーク２３ｂ側の端部に磁石３１ｄのＮ極が接続されている。
【００５６】
これらの磁石３１ａ〜３１ｄにより、梁２１ｂの連結ヨーク２３ａ側端部から連結ヨーク２３ｂ側端部に向かう磁路と、梁２１ａの連結ヨーク２３ｂ側端部から連結ヨーク２３ａ側端部に向かう磁路とが形成される。梁２１ａ，２１ｂは、第１の実施形態と同様に磁歪材料により形成された梁本体２６と、梁本体２６を部分的に被覆する応力緩和層２７とを有する。また、梁２１ａ，２１ｂの周囲には、それぞれコイル（図示せず）が巻回されている。
【００５７】
図１２（ｃ）に示す発電デバイス３０ｃは、梁２１ｂの連結ヨーク２３ａ側の端部に磁石３３ａのＮ極が接続されており、梁２１ｂの連結ヨーク２３ｂ側の端部に磁石３３ｂのＳ極が接続されている。また、梁２１ａ，２１ｂの連結ヨーク２３ａ側の端部は磁性体３４ａにより磁気的に接続されており、梁２１ａ，２１ｂの連結ヨーク２３ｂ側の端部は磁性体３４ｂにより磁気的に接続されている。
【００５８】
これらの磁石３３ａ，３３ｂ及び磁性体３４ａ，３４ｂにより、梁２１ａ，２１ｂにはそれぞれ連結ヨーク２３ａから連結ヨーク２３ｂに向かう方向に磁路が形成される。梁２１ａ，２１ｂは、第１の実施形態と同様に磁歪材料により形成された梁本体２６と、梁本体２６を部分的に被覆する応力緩和層２７とを有する。また、梁２１ａ，２１ｂの周囲には、それぞれコイル（図示せず）が巻回されている。
【００５９】
図１２（ｄ）に示す発電デバイス３０ｄは、梁２１ｂの連結ヨーク２３ａ側の端部に磁石３５ａのＮ極が接続されており、梁２１ａの連結ヨーク２３ｂ側の端部に磁石３５ｂのＳ極が接続されている。また、梁２１ａ，２１ｂの連結ヨーク２３ａ側の端部は磁性体３４ａにより磁気的に接続されており、梁２１ａ，２１ｂの連結ヨーク２３ｂ側の端部は磁性体３４ｂにより磁気的に接続されている。
【００６０】
これらの磁石３５ａ，３５ｂ及び磁性体３４ａ，３４ｂにより、梁２１ａ，２１ｂにはそれぞれ連結ヨーク２３ａから連結ヨーク２３ｂに向かう方向に磁路が形成される。梁２１ａ，２１ｂは、第１の実施形態と同様に磁歪材料により形成された梁本体２６と、梁本体２６を部分的に被覆する応力緩和層２７とを有する。また、梁２１ａ，２１ｂの周囲には、それぞれコイル（図示せず）が巻回されている。
【００６１】
これらの発電デバイス３０ａ〜３０ｄにおいても、第１の実施形態と同様に磁歪材料により形成された梁本体２６の厚さ方向及び長さ方向にほぼ全体にわたって引張応力又は圧縮応力が発生するので、発電効率が高い。
【００６２】
なお、図１２（ｂ）に示すように梁２１ａ，２１ｂを通る磁束の方向が異なる場合は、図１３（ａ）のように各梁２１ａ，２１ｂに個別にコイル３６ａ，３６ｂを巻回してもよく、図１３（ｂ）のように梁２１ａ，２１ｂを同時にくるむようにコイル３６ｃを巻回してもよい。
【００６３】
図１３（ｂ）のように梁２１ａ，２１ｂを同時にくるむようにコイル３６ｃを巻回した場合は、部品点数が削減されるため、製品コストを低減できる。また、梁２１ａ，２１ｂ間の間隔を狭くすることができるため、発電デバイスの小型化が可能になるという利点もある。
【００６４】
（第４の実施形態）
図１４は、第４の実施形態に係る発電デバイスを示す模式断面図である。
【００６５】
図１４に示す発電デバイス４０は、梁２１ａ，２１ｂと、連結ヨーク４３ａ，４３ｂと、永久磁石４４ａ，４４ｂと、梁２１ａ，２１ｂの周囲に巻回されたコイル４６ａ，４６ｂとを有する。梁２１ａ，２１ｂは、第１の実施形態と同様に、磁歪材料により形成された梁本体２６と、梁本体２６を部分的に覆う応力緩和層２７とを有する。
【００６６】
梁２１ａ，２１ｂの一方の端部は連結ヨーク４３ａにより連結されており、他方の端部は連結ヨーク４３ｂにより連結されている。また、梁２１ａ，２１ｂの連結ヨーク２４ａ側の端部間には磁石４４ａが配置されている。この磁石４４ａは、Ｎ極が梁２１ｂに接続され、Ｓ極が梁２１ａに接続されている。また、梁２１ａ，２１ｂの連結ヨーク４３ｂ側の端部間には磁石４４ｂ配置されている。この磁石４４ｂは、Ｓ極が梁２１ｂに接続され、Ｎ極が梁２１ａに接続されている。
【００６７】
これらの磁石４４ａ，４４ｂにより、梁２１ｂ、磁石４４ｂ、梁２１ａ、磁石４４ａを順に通る周回磁路が形成される。なお、本実施形態では梁２１ａ，２１ｂに個別にコイル４６ａ、４６ｂを巻回しているが、図１３（ｂ）のように梁２１ａ，２１ｂを同時にくるむようにコイルを巻回してもよい。
【００６８】
本実施形態においては、磁石４４ａのＮ極及びＳ極と磁石４４ｂのＳ極及びＮ極とが梁２１ａ，２１ｂを介して磁気的に接続されている。このため、バックヨークが不要であり、バックヨークによって梁２１ａ，２１の湾曲が阻害されることがない。従って、本実施形態に係る発電デバイス４０は、発電効率をより一層向上させることができる。
【００６９】
（第５の実施形態）
図１５は、第５の実施形態に係る発電デバイスを示す模式断面図である。
【００７０】
本実施形態に係る発電デバイス５０は、梁５１ａ，５１ｂと、コイル５６と、連結ヨーク５３ａ，５３ｂと、永久磁石５４ａ，５４ｂと、応力緩和層５７を有する。
【００７１】
梁５１ａ，５１ｂはいずれも磁歪材料により細長い薄板状に形成されている。これらの梁５１ａ，５１ｂは相互に対向して配置され、梁５１ａ，５１ｂ間には非磁性材料により形成された応力緩和層５７が、梁５１ａ，５１ｂ間の隙間を埋めるように配置されている。また、梁５１ａ，５１ｂの一方の端部は連結ヨーク５３ａにより連結され、他方の端部は連結ヨーク５３ｂにより連結されている。
【００７２】
磁石５４ａは梁５１ａ，５１ｂの連結ヨーク５３ａ側の端部間に配置されている。この磁石５４ａは、Ｎ極が梁５１ｂに接続され、Ｓ極が梁５１ａに接続されている。また、磁石５４ｂは梁５１ａ，５１ｂの連結ヨーク５３ｂ側の端部間に配置されている。この磁石５４ｂは、Ｓ極が梁５１ｂに接続され、Ｎ極が梁５１ａに接続されている。
【００７３】
これらの磁石５４ａ，５４ｂにより、梁５１ｂの連結ヨーク５３ａ側端部から連結ヨーク５３ｂ側端部に向かう磁路と、梁５１ａの連結ヨーク５３ｂ側端部から連結ヨーク５３ａ側端部に向かう磁路とが形成される。梁５１ａ，５１ｂの周囲にはコイル５６が巻回されている。
【００７４】
本実施形態においては、梁５１ａ，５１ｂ間に、梁５１ａ，５１ｂ間の隙間を埋めるように応力緩和層５７が配置されているので、振動が加えられると梁５１ａ，５１ｂのいずれか一方には圧縮応力が発生し、他方には引張応力が発生する。本実施形態においても、発電効率が高い発電デバイスが得られる。
【００７５】
（第６の実施形態）
図１６は、第６の実施形態に係る発電デバイスを示す模式断面図である。
【００７６】
本実施形態に係る発電デバイス６０は、梁６１ａ，６１ｂと、連結ヨーク５２ａ，５２ｂと、梁６１ａ，６１ｂの周囲にそれぞれ巻回されたコイル６２ａ，６２ｂとを有する。
【００７７】
梁６１ａ，６１ｂは、自発磁化を有するメタ磁性形状記憶合金又は強磁性形状記憶合金により形成された梁本体６６と、梁本体６６の表面を部分的に覆う応力緩和層６７とを有する。
【００７８】
メタ磁性形状記憶合金には、例えばＮｉ・Ｃｏ・Ｍｎ・Ｉｎ合金、及びＮｉ・Ｍｎ・Ｉｎ合金等がある。また、強磁性形状記憶合金には、例えばＮｉ・Ｍｎ・Ｇａ合金、Ｎｉ・Ｍｎ・Ａｌ合金、Ｎｉ・Ｍｎ・Ｉｎ合金、Ｎｉ・Ｍｎ・Ｓｂ合金、Ｎｉ・Ｍｎ・Ｓｎ合金、Ｃｏ・Ｎｉ・Ｇａ合金、Ｃｏ・Ｎｉ・Ａｌ合金、Ｎｉ・Ｆｅ・Ａｌ合金、Ｎｉ・Ｆｅ・Ｇａ合金、Ｃｕ・Ｍｎ・Ｇａ合金、Ｆｅ・Ｐｔ合金、及びＦｅ・Ｐｄ合金等がある。
【００７９】
発電デバイス６０に振動が加えられると、梁６１ａ，６１ｂが湾曲して歪が発生し、梁本体６６の磁力が変化する。これにより、コイルに電流が流れ、コイルから電力を取り出すことが可能になる。
【００８０】
本実施形態においても、第１の実施形態と同様に梁６１ａ，６１ｂを部分的に覆う応力緩和層６７が設けられているので、発電効率が高く、大きな電力を取り出すことができる。また、本実施形態では、磁石を別箇に用意する必要がないので、発電デバイスの小型化が可能であるという利点もある。
【００８１】
なお、図１７に示すように、梁６１ａ，６１ｂの端部に磁石６４ａ〜６４ｄを取り付けてもよい。これにより、発電デバイスの小型化は阻害されるものの、磁力の変化を大きくすることができ、図１６に示す発電デバイス６０に比べて発電効率がより一層向上する。
【００８２】
（第７の実施形態）
図１８は、第７の実施形態に係る発電デバイスを示す模式断面図である。
【００８３】
本実施形態に係る発電デバイス７０は、梁７１ａ，７１ｂと、連結ヨーク７３ａ，７３ｂと、梁７１ａ，７１ｂの周囲にそれぞれ巻回されたコイル７２ａ，７２ｂとを有する。なお、図１８には図示していないが、本実施形態に係る発電デバイス７０においても、例えば図１に示す発電デバイス１０と同様に磁石及びバックヨークを有している。
【００８４】
梁７１ａ，７１ｂは、磁歪層７６ａと絶縁層７６ｂとを交互に積層した構造を有する。磁歪層７６ａは例えば厚さが２５μｍの日立金属株式会社製Ｆｅ系アモルファス材料メトグラス（２６０５ＳＡ１、Ｆｅ−Ｂ−Ｓｉ等）の磁歪材料により形成されており、絶縁層７６ｂは例えば厚さが２μｍのエポキシ又はシアノアクリルレート等の絶縁材料により形成されている。また、磁歪層７６ａと絶縁層７６ｂとの総積層数は、例えば２０〜３０層である。
【００８５】
本実施形態においては、梁７１ａ，７１ｂが磁歪層７６ａと絶縁層７６ｂとの積層構造を有するため、梁７１ａ，７１ｂが湾曲したときに磁歪層７６ａに発生する渦電流が抑制される。これにより、発電効率が高い発電デバイスが得られる。
【００８６】
なお、梁７１ａ，７１ｂの表面に、図１９に示すように応力緩和層７７を形成してもよい。これにより、発電デバイス７０の発電効率がより一層向上する。
【００８７】
（その他の実施形態）
上述した各実施形態ではいずれも梁の本数が２本の場合について説明したが、例えば図２０（ａ），（ｂ）に示すように梁の数は２本に限定されるものではない。
【００８８】
図２０（ａ）に示す発電デバイス８０ａは、連結ヨーク８３ａ，８３ｂ間に３本の梁８１ａ，８１ｂ，８１ｃが配置されている。梁８１ａ，８１ｂ，８１ｃの周囲には、それぞれコイル８２ａ，８２ｂ，８３ｃが巻回されている。
【００８９】
中央に配置された梁８１ｂは、磁歪材料により形成されている。また、梁８１ｂを挟む位置に配置された梁８１ａ，８１ｃは、磁歪材料により形成された梁本体８６と、梁本体８６の表面を部分的に覆う応力緩和層８７とを有する。
【００９０】
図２０（ｂ）に示す発電デバイス８０ｂは、連結ヨーク８３ａ，８３ｂ間に４本の梁８１ａ〜８１ｄが配置されている。それらの梁８１ａ〜８１ｄの周囲には、それぞれコイル８２ａ〜８２ｄが巻回されている。
【００９１】
梁８１ａ〜８１ｄは、いずれも磁歪材料により形成された梁本体８６と、梁本体８６の表面を部分的に覆う応力緩和層８７とを有する。
【００９２】
これらの発電デバイス８０ａ，８０ｂにおいても、第１の実施形態と同様に発電効率が高く、小さな振動で大きな電力を取り出すことができる。
【００９３】
なお、上述した各実施形態の発電デバイスは、電子機器に駆動電力を供給する電源として使用することができるが、振動を検出するセンサとして使用することもできる。
【図１】
2013186876.tif 000003
【図２】
2013186876.tif 000004
【図３】
2013186876.tif 000005
【図４】
2013186876.tif 000006
【図５】
2013186876.tif 000007
【図６】
2013186876.tif 000008
【図７】
2013186876.tif 000009
【図８】
2013186876.tif 000010
【図９】
2013186876.tif 000011
【図１０】
2013186876.tif 000012
【図１１】
2013186876.tif 000013
【図１２】
2013186876.tif 000014
【図１３】
2013186876.tif 000015
【図１４】
2013186876.tif 000016
【図１５】
2013186876.tif 000017
【図１６】
2013186876.tif 000018
【図１７】
2013186876.tif 000019
【図１８】
2013186876.tif 000020
【図１９】
2013186876.tif 000021
【図２０】
2013186876.tif 000022
【手続補正書】
【提出日】平成26年11月19日(2014.11.19)
【手続補正１】
【補正対象書類名】特許請求の範囲
【補正対象項目名】全文
【補正方法】変更
【補正の内容】
【特許請求の範囲】
【請求項１】
相互に対向して配置されて振動により湾曲する第１の梁及び第２の梁と、
前記第１の梁及び前記第２の梁の周囲に巻回されたコイルとを有し、
前記第１の梁及び前記第２の梁は、梁本体と、前記梁本体とは異なる材料により形成されて前記梁本体の表面の一部を覆う応力緩和層とを有することを特徴とする発電デバイス。
【請求項２】
前記梁本体が、磁歪材料により形成されていることを特徴とする請求項１に記載の発電デバイス。
【請求項３】
前記梁本体が、メタ磁性形状記憶合金又は強磁性形状記憶合金により形成されていることを特徴とする請求項１に記載の発電デバイス。
【請求項４】
前記応力緩和層は、前記第１の梁及び前記第２の梁の一方の端部側では対向面側に配置され、他方の端部側では対向面と反対側に配置されていることを特徴とする請求項１乃至３のいずれか１項に記載の発電デバイス。
【請求項５】
前記応力緩和層が、絶縁材料により形成されていることを特徴とする請求項１乃至４のいずれか１項に記載の発電デバイス。
【請求項６】
前記応力緩和層が、前記梁本体を形成する磁性材料とは逆極性の磁性材料により形成されていることを特徴とする請求項２に記載の発電デバイス。
【請求項７】
前記第１の梁の端部と前記第２の梁の端部との間に磁石が配置されていることを特徴とする請求項１乃至４のいずれか１項に記載の発電デバイス。
【請求項８】
前記第１の梁を通る磁束の方向と前記第２の梁を通る磁束の方向とが異なることを特徴とする請求項１乃至４のいずれか１項に記載の発電デバイス。
【請求項９】
前記第１の梁と前記第２の梁と前記磁石とにより、周回磁路が形成されていることを特徴とする請求項７に記載の発電デバイス。
【請求項１０】
相互に対向して配置されて振動により湾曲する第１の梁及び第２の梁と、
前記第１の梁及び前記第２の梁の周囲に巻回されたコイルとを有し、
前記第１の梁及び前記第２の梁の少なくとも一方が、磁歪材料のより形成された層と絶縁材料により形成された層とを交互に積層した構造を有することを特徴とする発電デバイス。
【手続補正書】
【提出日】平成27年8月12日(2015.8.12)
【手続補正１】
【補正対象書類名】特許請求の範囲
【補正対象項目名】全文
【補正方法】変更
【補正の内容】
【特許請求の範囲】
【請求項１】
相互に対向して配置されて振動により湾曲する第１の梁及び第２の梁と、
前記第１の梁及び前記第２の梁の周囲に巻回されたコイルとを有し、
前記第１の梁及び前記第２の梁は、梁本体と、前記梁本体とは異なる材料により形成されて前記梁本体の表面の一部を覆う応力緩和層とを有し、
前記応力緩和層は、前記第１の梁及び前記第２の梁の一方の端部側では対向面側に配置され、他方の端部側では対向面と反対側に配置されていることを特徴とする発電デバイス。
【請求項２】
前記梁本体が、磁歪材料により形成されていることを特徴とする請求項１に記載の発電デバイス。
【請求項３】
前記梁本体が、メタ磁性形状記憶合金又は強磁性形状記憶合金により形成されていることを特徴とする請求項１に記載の発電デバイス。
【請求項４】
前記応力緩和層が、絶縁材料により形成されていることを特徴とする請求項１乃至３のいずれか１項に記載の発電デバイス。
【請求項５】
前記応力緩和層が、前記梁本体を形成する磁歪材料とは逆極性の磁歪材料により形成されていることを特徴とする請求項２に記載の発電デバイス。
【請求項６】
前記第１の梁の端部と前記第２の梁の端部との間に磁石が配置されていることを特徴とする請求項１乃至３のいずれか１項に記載の発電デバイス。
【請求項７】
前記第１の梁を通る磁束の方向と前記第２の梁を通る磁束の方向とが異なることを特徴とする請求項１乃至３のいずれか１項に記載の発電デバイス。
【請求項８】
前記第１の梁と前記第２の梁と前記磁石とにより、周回磁路が形成されていることを特徴とする請求項６に記載の発電デバイス。
【請求項９】
相互に対向して配置されて振動により湾曲する第１の梁及び第２の梁と、
前記第１の梁及び前記第２の梁の周囲に巻回されたコイルとを有し、
前記第１の梁及び前記第２の梁の少なくとも一方が、磁歪材料により形成された層と絶縁材料により形成された層とを交互に積層した構造を有することを特徴とする発電デバイス。
【手続補正２】
【補正対象書類名】明細書
【補正対象項目名】０００６
【補正方法】変更
【補正の内容】
【０００６】
開示の技術の一観点によれば、相互に対向して配置されて振動により湾曲する第１の梁及び第２の梁と、前記第１の梁及び前記第２の梁の周囲に巻回されたコイルとを有し、前記第１の梁及び前記第２の梁は、梁本体と、前記梁本体とは異なる材料により形成されて前記梁本体の表面の一部を覆う応力緩和層とを有し、前記応力緩和層は、前記第１の梁及び前記第２の梁の一方の端部側では対向面側に配置され、他方の端部側では対向面と反対側に配置されている発電デバイスが提供される。
【国際調査報告】
2013186876.tif 000023
2013186876.tif 000024